(57)【要約】【課題】比較的簡易な構成で、スポンサーを含めて通信ＭＭＣとＡＶＣとの連携が取れたデジタル放送送受信システムを提供する。【解決手段】送信局では、ＡＶＣと通信ＭＭＣの合成出力許可および通信ＭＭＣサーバのアドレスを格納する記憶部１５を有して、制御部１１で合成出力許可を送信して放送ＭＭＣに合成出力許可／アドレスを挿入し、受信装置では、合成出力許可およびアドレスを格納する記憶部２７を有して、制御部２９で放送ＭＭＣから抽出し記憶部２７に格納した合成出力許可／アドレスと、通信コンテンツサーバ３から得た通信ＭＭＣから抽出した合成出力許可とで通信ＭＭＣとＡＶＣとの合成出力の可否を判断し、通信ＭＭＣサーバ３では、合成出力許可を格納する記憶部３４を有し、制御部３６で送信局１から受信し合成出力許可記憶部３４に格納した合成出力許可が挿入された通信ＭＭＣを送出する。【選択図】        図１
2004153752.tif 000002
【特許請求の範囲】
【請求項１】
デジタル放送用の映像音声コンテンツ（ＡＶＣ）、および、該ＡＶＣに関係して該ＡＶＣと多重化されて放送される放送マルチメディアコンテンツ（放送ＭＭＣ）を含むデジタル放送用コンテンツを送出すると共に、通信回線網に接続されて外部との間で任意の情報を送受信する送信局と、
前記デジタル放送用コンテンツを受信および復調出力すると共に、通信回線網に接続されて外部との間で任意の情報を送受信する受信装置と、
通信回線網に接続されて、前記デジタル放送用コンテンツに関係して通信回線網で送出される通信マルチメディアコンテンツ（通信ＭＭＣ）を生成し、かつ、任意の情報を送受信する通信ＭＭＣサーバと
から構成されるデジタル放送送受信システムにおいて、
前記送信局が、通信ＭＭＣサーバに向けて、ＡＶＣと共に放送ＭＭＣあるいは通信ＭＭＣを合成出力するための許可情報を通信回線網で送信するステップと、
通信ＭＭＣサーバが、受信した合成出力許可情報を格納するステップと、
前記送信局が、合成出力許可情報と前記通信ＭＭＣサーバのアドレスを放送ＭＭＣに挿入し、ＡＶＣと多重化して放送信号として送信するステップと、
受信装置が、受信した放送ＭＭＣから合成出力許可情報と前記通信ＭＭＣサーバのアドレスを抽出して記憶部に格納するステップと、
受信装置は、通信ＭＭＣが選択された場合に、前記通信ＭＭＣサーバのアドレス宛に該通信ＭＭＣを要求するステップと、
通信ＭＭＣサーバが、要求された通信ＭＭＣに合成出力許可情報を挿入して受信装置に送信するステップと、
受信装置で、受信した通信ＭＭＣから合成出力許可情報を抽出して、抽出内容が記憶部に格納されている合成出力許可情報から導き出される場合に、受信した通信ＭＭＣと前記デジタル放送用コンテンツの合成出力を認めるステップ
を有することを特徴とするデジタル放送送受信方法。
【請求項２】
前記受信装置で通信ＭＭＣとデジタル放送用コンテンツの合成出力を認めるステップでは、
受信した通信ＭＭＣから抽出した合成出力許可情報と不揮発性記憶部の格納内容とから、通信ＭＭＣを前記デジタル放送用コンテンツと合成出力できない場合に、
前記デジタル放送用コンテンツのみを出力するか、通信ＭＭＣのみを出力するかを選択する
ことを特徴とする請求項１に記載のデジタル放送送受信方法。
【請求項３】
デジタル放送送受信システムに、前記通信回線網に接続されて外部との間で任意の情報を送受信でき、前記通信ＭＭＣが正当なものであることを認証する通信ＭＭＣ認証サーバを有する場合、
該通信ＭＭＣ認証サーバが、少なくとも前記通信ＭＭＣサーバの前記アドレス情報を前記ＡＶＣと対応させて格納させ、
前記通信ＭＭＣサーバが、少なくとも前記通信ＭＭＣ認証サーバの通信回線網におけるアドレス情報を含む前記通信ＭＭＣの認証要求情報を格納し、通信ＭＭＣに前記通信ＭＭＣ認証要求情報を挿入しておき、
前記受信装置で通信ＭＭＣとデジタル放送用コンテンツの合成出力を認めるステップには、さらに、
受信装置が、前記通信ＭＭＣ認証サーバのアドレス情報を用いて前記通信ＭＭＣ認証サーバに対して認証を要求し、該認証結果を前記合成出力許可情報と共に用いて通信ＭＭＣとデジタル放送用コンテンツの合成出力を認めるステップを含む
ことを特徴とする請求項１または２に記載のデジタル放送送受信方法。
【請求項４】
前記通信回線網に接続されて外部との間で任意の情報を送受信でき、前記通信ＭＭＣ認証サーバの通信回線におけるアドレス情報を送出する位置情報サーバを有し、該位置情報サーバは、前記通信ＭＭＣ認証サーバの通信回線におけるアドレス情報を前記通信ＭＭＣサーバの通信回線網におけるアドレス情報と対応させて格納する場合、
前記受信装置が、前記認証結果を前記合成出力許可情報と共に用いて通信ＭＭＣとデジタル放送用コンテンツの合成出力を認めるステップでは、
前記受信装置が、前記通信ＭＭＣを認証する際に、前記位置情報サーバに前記通信ＭＭＣ認証サーバのアドレス情報を要求するステップを含む
ことを特徴とする、請求項３に記載のデジタル放送送受信方法。
【請求項５】
前記受信装置は、受信して再生する前の前記デジタル放送用コンテンツを蓄積できる記録／再生部を有し、生放送の前記デジタル放送用コンテンツを受信／再生中に、蓄積されたデジタル放送用コンテンツの出力が選択された場合、
前記受信装置が、蓄積内容の少なくとも日時情報、および、前記合成出力許可情報を前記通信ＭＭＣ認証サーバに送信するステップと、
前記通信ＭＭＣサーバが、受信内容に基づき前記通信ＭＭＣ認証サーバを認証して認証結果を受信装置に送信するステップと、
前記受信装置が、受信した前記デジタル放送用コンテンツから抽出した合成出力許可情報を、受信した認証結果および不揮発性記憶部の格納内容を用いて、前記デジタル放送用コンテンツと、蓄積されたデジタル放送用コンテンツと同時に合成出力することの可否を判断するステップ
を有することを特徴とする、請求項３または４に記載のデジタル放送送受信方法。
【請求項６】
前記受信装置は、受信して再生する前の前記デジタル放送用コンテンツを蓄積できる記録／再生部を有し、前記記録／再生部に蓄積された前記デジタル放送用コンテンツを再生中に、蓄積されたデジタル放送用コンテンツに関係する通信ＭＭＣの出力が選択された場合、
前記受信装置が、その通信ＭＭＣを通信コンテンツサーバに要求し、受信した通信ＭＭＣから抽出した合成出力許可情報、および、蓄積内容の少なくとも日時情報を前記通信ＭＭＣ認証サーバに送信するステップと、
前記通信ＭＭＣサーバが、受信内容に基づき前記通信ＭＭＣ認証サーバを認証して認証結果を受信装置に送信するステップと、
前記受信装置が、再生した前記デジタル放送用コンテンツから抽出した合成出力許可情報を、受信した認証結果および不揮発性記憶部の格納内容を用いて、前記蓄積されたデジタル放送用コンテンツと、受信した通信ＭＭＣと同時に合成出力することの可否を判断するステップ
を有することを特徴とする、請求項３または４に記載のデジタル放送送受信方法。
【請求項７】
デジタル放送用の映像音声コンテンツ（ＡＶＣ）、および、該ＡＶＣに関係して該ＡＶＣと多重化されて放送される放送マルチメディアコンテンツ（放送ＭＭＣ）を含むデジタル放送用コンテンツを送出できると共に、通信回線網に接続されて外部との間で任意の情報を送受信できる送信局と、
前記デジタル放送用コンテンツを受信および復調出力できると共に、通信回線網に接続されて外部との間で任意の情報を送受信できる受信装置と、
通信回線網に接続されて、前記デジタル放送用コンテンツに関係して通信回線網で送出される通信マルチメディアコンテンツ（通信ＭＭＣ）を生成でき、かつ、任意の情報を送受信できる通信ＭＭＣサーバとから構成され、
前記送信局は、
受信装置においてＡＶＣと通信ＭＭＣの合成出力を許可する情報、および、前記通信ＭＭＣサーバの通信回線網におけるアドレス情報を格納する合成出力許可情報／アドレス情報記憶部と、
通信ＭＭＣサーバに合成出力許可情報を送信し、放送ＭＭＣに前記合成出力許可情報／アドレス情報を挿入する放送制御部と
を有し、
前記受信装置は、
前記合成出力許可情報および前記アドレス情報を格納する不揮発性記憶部と、
前記放送ＭＭＣを受信し、前記合成出力許可情報／アドレス情報を抽出して前記不揮発性記憶部に格納し、通信ＭＭＣが選択された場合にその通信ＭＭＣを通信コンテンツサーバに要求し、受信した通信ＭＭＣから抽出した合成出力許可情報を不揮発性記憶部の格納内容を用いて、通信ＭＭＣを前記ＡＶＣと同時に合成出力することの可否を判断する受信制御部と
を有し、
前記通信ＭＭＣサーバは、
前記合成出力許可情報を格納する合成出力許可情報記憶部と、
生成された通信ＭＭＣに合成出力許可情報を挿入する情報挿入部と、
前記送信局から受信した合成出力許可情報を合成出力許可情報記憶部に格納し、通信ＭＭＣの要求を受信した場合に前記合成出力許可情報が挿入された通信ＭＭＣを送出するコンテンツサーバ制御部と
を有する
ことを特徴とするデジタル放送送受信システム。
【請求項８】
前記受信装置の受信制御部は、受信した通信ＭＭＣから抽出した合成出力許可情報と不揮発性記憶部の格納内容とから、通信ＭＭＣを前記デジタル放送用コンテンツと合成出力できない場合に、前記デジタル放送用コンテンツのみを出力するか、通信ＭＭＣのみを出力するかを選択できる機能を備えることを特徴とする請求項７に記載のデジタル放送送受信システム。
【請求項９】
前記通信回線網に接続されて外部との間で任意の情報を送受信でき、前記通信ＭＭＣが正当なものであることを認証する通信ＭＭＣ認証サーバを有し、
該通信ＭＭＣ認証サーバは、少なくとも前記通信ＭＭＣサーバの前記アドレス情報を前記ＡＶＣと対応させて格納する通信ＭＭＣ認証情報記憶部を有し、
前記通信ＭＭＣサーバは、少なくとも前記通信ＭＭＣ認証サーバの通信回線網におけるアドレス情報を含む前記通信ＭＭＣの認証要求情報を格納する通信ＭＭＣ認証要求情報記憶部を有し、前記コンテンツサーバ制御部が、通信ＭＭＣに前記通信ＭＭＣ認証要求情報を挿入する
ことを特徴とする請求項７または８に記載のデジタル放送送受信システム。
【請求項１０】
前記通信ＭＭＣ認証サーバの通信ＭＭＣ認証情報記憶部は、前記ＡＶＣの識別情報を格納する
ことを特徴とする請求項９に記載のデジタル放送送受信システム。
【請求項１１】
前記通信ＭＭＣ認証サーバは、前記送信局内に設けられることを特徴とする請求項９または１０に記載のデジタル放送送受信システム。
【請求項１２】
前記通信回線網に接続されて外部との間で任意の情報を送受信でき、前記通信ＭＭＣ認証サーバの通信回線におけるアドレス情報を送出する位置情報サーバを有し、
該位置情報サーバは、前記通信ＭＭＣ認証サーバの通信回線におけるアドレス情報を前記通信ＭＭＣサーバの通信回線網におけるアドレス情報と対応させて格納する位置情報情報記憶部を有し、
前記受信装置の受信制御部は、前記通信ＭＭＣを認証する際に、前記位置情報サーバに前記通信ＭＭＣ認証サーバのアドレス情報を要求する
ことを特徴とする、請求項９〜１１の何れかに記載のデジタル放送送受信システム。
【請求項１３】
前記受信装置は、受信して再生する前の前記デジタル放送用コンテンツを蓄積できる記録／再生部を有し、
前記受信制御部は、
生放送の前記デジタル放送用コンテンツを受信／再生中に、蓄積されたデジタル放送用コンテンツの出力が選択された場合、
蓄積内容の少なくとも日時情報、および、前記合成出力許可情報を前記通信ＭＭＣ認証サーバに送信し、
受信した前記デジタル放送用コンテンツから抽出した合成出力許可情報を、受信した認証結果および不揮発性記憶部の格納内容を用いて、前記デジタル放送用コンテンツと、蓄積されたデジタル放送用コンテンツと同時に合成出力することの可否を判断する
ことを特徴とする、請求項９〜１２の何れかに記載のデジタル放送送受信システム。
【請求項１４】
前記受信装置は、受信して再生する前の前記デジタル放送用コンテンツを蓄積できる記録／再生部を有し、
前記受信制御部は、
前記記録／再生部に蓄積された前記デジタル放送用コンテンツを再生中に、蓄積されたデジタル放送用コンテンツに関係する通信ＭＭＣの出力が選択された場合、
その通信ＭＭＣを通信コンテンツサーバに要求し、受信した通信ＭＭＣから抽出した合成出力許可情報、および、蓄積内容の少なくとも日時情報を前記通信ＭＭＣ認証サーバに送信し、
再生した前記デジタル放送用コンテンツから抽出した合成出力許可情報を、受信した認証結果および不揮発性記憶部の格納内容を用いて、前記蓄積されたデジタル放送用コンテンツと、受信した通信ＭＭＣと同時に合成出力することの可否を判断する
ことを特徴とする、請求項９〜１２の何れかに記載のデジタル放送送受信システム。
【請求項１５】
前記請求項９〜１４の何れかのデジタル放送送受信システムに用いられる送信局。
【請求項１６】
前記請求項９〜１４の何れかのデジタル放送送受信システムに用いられる受信装置。
【請求項１７】
前記請求項９〜１４の何れかのデジタル放送送受信システムに用いられる通信マルチメディアコンテンツサーバ。
【発明の詳細な説明】
【０００１】
【発明の属する技術分野】
この発明は、デジタル放送用の映像音声コンテンツ（ＡＶＣ）およびその放送マルチメディアコンテンツ（放送ＭＭＣ）を多重化して送出する送信局と、そのデジタル放送用コンテンツの受信装置と、そのデジタル放送用コンテンツに関係する通信マルチメディアコンテンツ（通信ＭＭＣ）を生成して通信回線網から受信装置に送信する通信ＭＭＣサーバとが通威信回線網で接続されて構成されるデジタル放送送受信システムに関する。
【０００２】
【従来の技術】
視聴者に双方向通信環境を提供し、インターネットより提供されるコンテンツを閲覧できるようにしたデジタル放送送受信システムの一例として次のようなシステムが知られている。
【０００３】
放送局側が番組を放送する際、例えば或るコンテンツを閲覧しようとする際に指示するボタン等のシンボルを描画する記述と共に配信する。視聴者はセットトップボックスを介して表示される番組中にボタンが表示されたとき、それをリモコン等の指示手段で指示する。この指示があると、放送局から受信しているコンテンツのアドレスとその番組スポンサーＩＤを用い、インターネットにアクセスする。インターネット上のコンテンツプロバイダは、このアクセスがあると、スポンサーＩＤをコマーシャルサーバに通知し、そのスポンサー用のコマーシャルをダウンロードし自身が管理するコンテンツと合成して視聴者に転送する。（例えば、特許文献１参照）
【０００４】
ここで、上記したコマーシャルサーバの存在理由は、放送ＭＭＣはＡＶＣと同時に伝送されることから、放送事業者が意図したとおりにＡＶＣと放送ＭＭＣとの連携を取ることができるのに対して、通信ＭＭＣはＡＶＣとの連携を取ることが難しいためである。
【０００５】
また、専用のコマーシャルサーバを設けないで通信ＭＭＣはＡＶＣとの連携を取ろうとする場合には、例えば、放送事業者固有の情報を、受信装置内に不用意に消去されない手段に蓄積し、この情報を用いて受信装置の再生動作の制御を行うことが考えられる。
【０００６】
このような目的を達成するためのデジタル放送受信装置中の手段としては、ＮＶＲＡＭ（不揮発性ランダムアクセスメモリ）が考えられるが、従来のデジタル放送送受信システムにおいては、ＮＶＲＡＭ上の事業者共通領域をそれぞれの放送事業者のサービスに閉じた形でしか用いることができない。他の事業者や他のサービスから、各事業者固有の情報を利用しないという規制は、運用規定であり開放することは簡単ではあるが、例えば、上記したように規定を開放して実装を行った場合、逆に放送事業者固有の情報が自由に更改できることになり、その情報の安全性が低下してしまう。（例えば、非特許文献１参照）
【０００７】
【特許文献１】
特開２００２−１９９３７５号公報（図１）
【非特許文献１】
「ＢＳデジタル放送運用規定」（ＡＲＩＢ  ＴＲ−Ｂ１５  １．２版）、（社）電波産業会（ＡＲＩＢ）、６．３．４受信機ＮＶＲＡＭの事業者共通領域の運用（表６．４）
【０００８】
【発明が解決しようとする課題】
しかしながら、上記した特許文献１では、視聴者が希望したコンテンツとスポンサーＩＤを利用してダウンロードしたコマーシャルを合成して視聴者に転送しているので、ＡＶＣのスポンサーと通信ＭＭＣのスポンサーとの関係を調整できると考えられるが、インターネット上にコンテンツ管理データベースに加えて顧客管理データベースを内蔵する専用のコマーシャルサーバを設ける必要がある。
【０００９】
また、上記した特許文献１では、ＡＶＣのスポンサーＩＤと競合するスポンサーのコマーシャルを通信ＭＭＣに合成する事態は避けることができるが、放送されるＡＶＣの内容と通信ＭＭＣのスポンサーの関係は調整できない。例えば、動物保護のＡＶＣに関連するコンテンツのスポンサーにハム会社等は好ましくないが、特許文献１ではＡＶＣの内容を判断していないので、通信ＭＭＣのスポンサーの関係を判断できない。
【００１０】
また、特許文献１のような専用のコマーシャルサーバを設けないで通信ＭＭＣとＡＶＣとの連携を取ろうとする場合、例えば、非特許文献１に記載されたＮＶＲＡＭを用いるとしても、ＮＶＲＡＭ上の事業者共通領域をそれぞれの放送事業者のサービスに閉じた形で用いることになっており、これを開放しようとすると、放送事業者固有の情報が自由に更改できることになり、その情報の安全性が低下してしまうという問題がある。
【００１１】
具体的には、専用のコマーシャルサーバを設けないでＮＶＲＡＭ上の事業者共通領域を開放した場合、例えば、ＡＶＣでコマーシャルを再生中に、そのコマーシャルのスポンサーと競合関係にある別のスポンサーの宣伝を含むＭＭＣがＴＶ等の表示装置上に表示される可能性がある。このような事態は、広告事業の観点から見て好ましくない事態と考えられる。
【００１２】
また、ストリーミングなどに代表されるインターネット経由でＡＶＣを伝送する場合、そのＡＶＣの内容と通信ＭＭＣとの連携や、ＡＶＣに関する視聴許諾の条件の指示や更新などを行おうとしても、それらの情報を安全かつ確実に取得するための手段は、現状の規格に規定されたシステム中には存在しない。このことが、新たなビジネス展開への阻害要因となっている。
【００１３】
本発明はこのような問題を解決するために成されたものであり、比較的簡易な構成で、スポンサーを含めて通信ＭＭＣとＡＶＣとの連携が取れたデジタル放送送受信システムを提供することを目的とするものである。
【００１４】
【課題を解決するための手段】
上述した目的を達成するため、本発明のデジタル放送送受信方法は、デジタル放送用のＡＶＣ、および、そのＡＶＣに関係してそのＡＶＣと多重化されて放送される放送ＭＭＣを含むデジタル放送用コンテンツを送出すると共に、通信回線網に接続されて外部との間で任意の情報を送受信する送信局と、デジタル放送用コンテンツを受信および復調出力すると共に、通信回線網に接続されて外部との間で任意の情報を送受信する受信装置と、通信回線網に接続されて、デジタル放送用コンテンツに関係して通信回線網で送出される通信ＭＭＣを生成し、かつ、任意の情報を送受信する通信ＭＭＣサーバとから構成されるデジタル放送送受信システムにおいて、
送信局が、通信ＭＭＣサーバに向けて、ＡＶＣと共に放送ＭＭＣあるいは通信ＭＭＣを合成出力するための許可情報を通信回線網で送信するステップと、
通信ＭＭＣサーバが、受信した合成出力許可情報を格納するステップと、
送信局が、合成出力許可情報と通信ＭＭＣサーバのアドレスを放送ＭＭＣに挿入し、ＡＶＣと多重化して放送信号として送信するステップと、
受信装置が、受信した放送ＭＭＣから合成出力許可情報と通信ＭＭＣサーバのアドレスを抽出して記憶部に格納するステップと、
受信装置は、通信ＭＭＣが選択された場合に、通信ＭＭＣサーバのアドレス宛に該通信ＭＭＣを要求するステップと、
通信ＭＭＣサーバが、要求された通信ＭＭＣに合成出力許可情報を挿入して受信装置に送信するステップと、
受信装置で、受信した通信ＭＭＣから合成出力許可情報を抽出して、抽出内容が記憶部に格納されている合成出力許可情報から導き出される場合に、受信した通信ＭＭＣと前記デジタル放送用コンテンツの合成出力を認めるステップを有する。
【００１５】
また、本発明のデジタル放送送受信システムは、デジタル放送用のＡＶＣ、および、そのＡＶＣに関係してＡＶＣと多重化されて放送される放送ＭＭＣを含むデジタル放送用コンテンツを送出できると共に、通信回線網に接続されて外部との間で任意の情報を送受信できる送信局と、デジタル放送用コンテンツを受信および復調出力できると共に、通信回線網に接続されて外部との間で任意の情報を送受信できる受信装置と、通信回線網に接続されて、デジタル放送用コンテンツに関係して通信回線網で送出される通信ＭＭＣを生成でき、かつ、任意の情報を送受信できる通信ＭＭＣサーバとから構成され、
送信局は、受信装置においてＡＶＣと通信ＭＭＣの合成出力を許可する情報、および、通信ＭＭＣサーバの通信回線網におけるアドレス情報を格納する合成出力許可情報／アドレス情報記憶部と、通信ＭＭＣサーバに合成出力許可情報を送信し、放送ＭＭＣに前記合成出力許可情報／アドレス情報を挿入する放送制御部とを有し、
受信装置は、合成出力許可情報およびアドレス情報を格納する不揮発性記憶部と、放送ＭＭＣを受信し、合成出力許可情報／アドレス情報を抽出して不揮発性記憶部に格納し、通信ＭＭＣが選択された場合にその通信ＭＭＣを通信コンテンツサーバに要求し、受信した通信ＭＭＣから抽出した合成出力許可情報を不揮発性記憶部の格納内容を用いて、通信ＭＭＣをＡＶＣと同時に合成出力することの可否を判断する受信制御部とを有し、
通信ＭＭＣサーバは、合成出力許可情報を格納する合成出力許可情報記憶部と、生成された通信ＭＭＣに合成出力許可情報を挿入する情報挿入部と、送信局から受信した合成出力許可情報を合成出力許可情報記憶部に格納し、通信ＭＭＣの要求を受信した場合に合成出力許可情報が挿入された通信ＭＭＣを送出するコンテンツサーバ制御部とを有する。
【００１６】
【発明の実施の形態】
以下、本発明に係るデジタル放送送受信システムの実施の形態について、図面を用いて具体的に説明する。
【００１７】
実施の形態１．
図１は、本発明の実施の形態１に係るデジタル放送送受信システムの構成を示すブロック図である。
【００１８】
なお、図１中の通常の太さの実線矢印は、各部ロックを接続することと共に、制御信号および制御に関わるデータの流れと方向を示している。また、ブロック間の太線矢印は、各ブロックを接続することを示すと共に、デジタル情報データの流れと方向を示す。より詳細には、実線の太線矢印はＡＶＣの情報データの流れと方向を示し、破線の太線矢印は、放送ＭＭＣの情報データの流れと方向を示し、さらに、一点鎖線の太線矢印は、通信ＭＭＣの情報データの流れと方向を示す。
【００１９】
図１に示すデジタル放送送受信システムは、デジタル放送用のＡＶＣ、および、そのＡＶＣに関係してＡＶＣと多重化されて放送される放送ＭＭＣを含むデジタル放送用コンテンツを送出できると共に、インターネット等の通信回線網５に接続されて外部との間で任意の情報を送受信できるデジタル放送送信局１と、デジタル放送用コンテンツを受信および再生できると共に、通信回線網５に接続されて外部との間で任意の情報を送受信できるデジタル放送受信装置２と、通信回線網５に接続されて、デジタル放送用コンテンツに関係して通信回線網５で送出される通信ＭＭＣを生成でき、かつ、任意の情報を送受信できる通信ＭＭＣサーバ３を備えている。
【００２０】
デジタル放送送信局１は、デジタル放送送信局１内の各部を制御することにより、通信ＭＭＣサーバ３に合成出力許可情報を送信し、放送ＭＭＣに合成出力許可情報／アドレス情報を挿入する放送制御部１１と、デジタルテレビジョン（ＤＴＶ）放送用ＡＶＣの映像音声部分を生成するＡＶＣ生成部１２と、各種コンテンツを多重化して放送信号を生成して送信する多重化／送信部１３と、ＡＶＣに関係してそのＡＶＣと多重化されて放送される放送マルチメディアコンテンツ（放送ＭＭＣ）を生成する放送ＭＭＣ生成部１４と、デジタル放送受信装置２においてＡＶＣと通信ＭＭＣの合成出力を許可する情報、および、通信ＭＭＣサーバ３の通信回線網５におけるアドレス情報を格納する合成出力許可情報／アドレス情報記憶部１５と、通信回線網に接続されて各種情報やデータの送受信を制御する通信制御部１６と、多重化／送信部１３に接続されてデジタル放送用コンテンツを含む放送信号を送出する送信アンテナ１７を有している。
【００２１】
ここで、合成出力許可情報とは、例えば、デジタル放送送信局１ではＡＶＣと放送ＭＭＣを多重化する前に、それらの内容とスポンサー関係が調整されるが、その調整をＡＶＣと通信ＭＭＣとの間でも実施するための情報である。ＡＶＣと通信ＭＭＣとの関係を判断する情報は、デジタル放送送信局１でＡＶＣと放送ＭＭＣとの関係を判断する情報をそのまま使用できる場合も考えられるが、一般的には、デジタル放送送信局１で事前に通信ＭＭＣを入手してＡＶＣとの関係を確認することで新たな要素が加わった合成出力許可情報を生成する。
【００２２】
通信ＭＭＣとＡＶＣとの関係の確認は、例えば、次の４条件を満足していることを確認するための要素を抽出し、その要素を加えて合成出力許可情報が生成される。
（１）ＡＶＣ自体の内容と通信ＭＭＣ自体の内容に競合や対立あるいは矛盾等が無く同時に表示されてもよい内容である。
（２）ＡＶＣのスポンサーと通信ＭＭＣのスポンサーが競合関係でない。
（３）ＡＶＣ自体の内容と通信ＭＭＣのスポンサーの営業内容に競合や対立あるいは矛盾等が無く同時に表示されてもよい内容である。
（４）通信ＭＭＣ自体の内容とＡＶＣのスポンサーの営業内容に競合や対立あるいは矛盾等が無く同時に表示されてもよい内容である。
【００２３】
例えば、デジタル放送送信局１では、自局のＡＶＣに対する任意の通信ＭＭＣの合成出力を許諾する場合には、ＡＶＣを生成する際に、その通信ＭＭＣを生成する通信ＭＭＣサーバ３に向けて合成出力の許可情報を送信し、その許可情報を通信ＭＭＣ中に挿入することを許可する。
【００２４】
放送制御部１１は、内部回線や内部バス等により上記各部に接続されており、制御信号や各種データの送受信が可能である。
【００２５】
また、ＡＶＣ生成部１２と放送ＭＭＣ生成部１４は、多重化／送信部１３と接続されており、ＡＶＣおよび放送ＭＭＣが直接に多重化／送信部１３に入力されて多重化された放送信号が生成され、その放送信号が送信アンテナ１７から送出される。
【００２６】
また、通信制御部１６は、合成出力許可情報／アドレス情報記憶部１５に接続されると共に、放送ＭＭＣ生成部１４とも例えば、放送制御部１１を介して接続されている。また、図示しない限定受信制御部や、同じく図示しないコンテンツ送出管理機器も通信制御部１６と接続されている。このため、デジタル放送送信局１は、放送ＭＭＣがデジタル放送受信装置２と通信回線網５を用いて双方向に情報交換を行うよう設定されている場合や、有料コンテンツの課金処理や視聴許諾動作などを実施する場合などに、デジタル放送受信装置２との間で適切に情報交換処理を行うことができる。
【００２７】
デジタル放送受信装置２は、受信された放送信号が復調された中から抽出されたＡＶＣ、および、放送ＭＭＣの再生内容と、通信回線網５から受信した通信ＭＭＣの再生信号を画像表示できる表示装置６と接続されている。デジタル放送受信装置２は、受信したデジタル放送用コンテンツに対して再生処理を実施し、再生されたコンテンツを接続された表示装置６に伝送して、ユーザの視聴に供する。
【００２８】
なお、表示装置６は、デジタル放送受信装置２とひとつの筐体内に構成される形態の場合と、デジタル放送受信装置２と別々の装置として構成される形態の場合がある。本実施の形態では何れの形態でも実施可能である。
【００２９】
デジタル放送受信装置２は、デジタル放送送信局１から送信されたデジタル放送用コンテンツを含む放送信号を受信する受信アンテナ２０と、受信アンテナ２０で受信されたデジタル放送の信号が入力され、復調されたデジタル放送信号を送出する受信復調部２１と、復調されたデジタル放送信号をデコードし、デジタル放送用コンテンツを映像音声コンテンツ（ＡＶＣ）とデータ放送コンテンツ（放送ＭＭＣ）とに分離するデコード部２２と、デコード部２２にて分離されたＡＶＣ情報が入力され、ＡＶＣ用の再生ＴＶ信号に変換して送出するＡＶＣ再生部２３と、ＡＶＣ再生部２３および後述するＭＭＣ再生部２８で再生されたＡＶＣ及びＭＭＣを合成して表示装置６に送出する出力合成部２４と、通信回線網５に接続されて各種情報やデータの送受信を制御する通信制御部２５と、各種の情報を不揮発に記憶することができ、具体的には、少なくともデジタル放送送信局１から受信した放送ＭＭＣから抽出された合成出力許可情報およびアドレス情報を格納する不揮発記憶部２７と、デコード部２２にて分離されたＭＭＣ情報が入力され、ＭＭＣとして再生し、出力合成部２４に送るＭＭＣ再生部２８と、デジタル放送受信装置２内の各部を制御することにより、受信した放送信号中の放送ＭＭＣから合成出力許可情報と通信ＭＭＣサーバ３の通信回線網５（インターネット）上のアドレス（ＵＲＬ：Ｕｎｉｆｏｒｍ  Ｒｅｓｏｕｒｃｅ  Ｌｏｃａｔｏｒ）情報を抽出して不揮発性記憶部２７に格納する受信制御部２９を有する。
【００３０】
また、受信制御部２９は、通信ＭＭＣが選択された場合に、その受信したアドレスを用いて選択された通信ＭＭＣを通信ＭＭＣサーバ３に要求し、通信ＭＭＣサーバ３から通信ＭＭＣを得る。さらに、受信した通信ＭＭＣから抽出した合成出力許可情報と、放送ＭＭＣから得て不揮発性記憶部２７に格納された合成出力許可情報（格納内容）を用いて、通信ＭＭＣをＡＶＣと同時に合成出力することの可否を判断する。
【００３１】
また、通信制御部２５は、受信制御部２９からの指示により、通信経路上のデジタル放送送信局１内の通信制御部１６との間で情報の送受を実施でき、その結果を受信制御部２９に返送する。受信制御部２９は、放送信号あるいはユーザからの指示に従い、デジタル放送受信装置２内の各部分が適切に動作するように制御する。
【００３２】
また、不揮発記憶部２７は、受信制御部２９とＭＭＣ再生部２８とに接続され、デジタル（ＴＶ）放送受信装置として動作させるための視聴者による各種の設定項目や、電子コンテンツ表画面に表示される放送事業者独自のロゴマークなど全ての受信装置に共通して用いられる情報の他、後述するＭＭＣに関わって放送事業者側が指定する各種の情報などを記憶する。
【００３３】
また、デコード部２２のデコード動作の中には、処理されるデジタルコンテンツ情報が暗号化されて送信された場合に、視聴者の持つ権利情報に基づき該暗号を解読した情報に戻すという動作が含まれる。
【００３４】
デジタル放送受信装置２の通信制御部２５は、インターネットに代表される通信サービスを受けるためのモデムなどの機能を備えており、通信ＭＭＣ生成部３３により制作され、通信ＭＭＣサーバ３を用いて通信回線網５上に公開される通信ＭＭＣを取得して利用する。
【００３５】
通信回線網５上の通信ＭＭＣを利用できることで、既にインターネット世界に存在する莫大な情報を利用することが可能になる。また、限られた帯域の放送を用いて伝送することが困難な多量なコンテンツを通信回線網５を介して伝送できることになり、デジタル放送の問題点を補完することができることになる。
【００３６】
デジタル放送送受信システムにおける通信ＭＭＣの利用について以下に説明する。デジタル放送受信装置２は、放送ＭＭＣあるいは視聴者による指示に基づく受信制御部２９の制御により、通信制御部２５を用いて通信経路上にある通信ＭＭＣサーバ３からＭＭＣを取得する。取得されたＭＭＣは、接続されたＭＭＣ再生部２８に送られ、放送経路経由で伝送されたＭＭＣと同様の処理を施されて再生される。
【００３７】
通信ＭＭＣサーバ３は、通信回線網５に接続されて各種情報やデータの送受信を制御する通信制御部３１と、生成された通信ＭＭＣに合成出力許可情報を挿入する情報挿入部３２と、不図示のデータストレージ等に蓄積された情報に基づきデジタル放送送信局１で生成されるＡＶＣに関係する通信ＭＭＣを生成する通信ＭＭＣ生成部３３と、合成出力許可情報を格納する合成出力許可情報記憶部３４と、デジタル放送送信局１から受信した合成出力許可情報を合成出力許可情報記憶部３４に格納し、通信ＭＭＣの要求を受信した場合には、情報挿入部３２で合成出力許可情報を挿入した通信ＭＭＣを送出するコンテンツサーバ制御部３６とを有する。
【００３８】
通信ＭＭＣサーバ３では、その許可情報を通信ＭＭＣ中に挿入することで、許可情報付き通信ＭＭＣとしてデジタル放送受信装置２へ伝送することが可能になる。
【００３９】
通信ＭＭＣ中への許可情報の挿入は、例えば、ＸＨＴＭＬ（ｅＸｔｅｎｄｅｄＨｙｐｅｒＴｅｘｔ  Ｍａｒｋｕｐ  Ｌａｎｇｕａｇｅ）中に新たに規定されるタグ（例えば、＜ＭＭｃｏｎｔｅｎｔｓＬｅｖｅｌｓ＞）で判別される情報として埋め込むことができる。
【００４０】
次に、デジタル放送送受信システムにおけるデータ放送に関する規定のうち、不揮発記憶部２７に関する動作規定を説明する。
【００４１】
不揮発記憶（以下、ＮＶＲＡＭ）の運用としては、上記非特許文献１の「ＢＳデジタル放送運用規定」（ＡＲＩＢ  ＴＲ−Ｂ１５  １．２版）、６．３．４受信機ＮＶＲＡＭの事業者共通領域の運用（表６．４）に示されたように、全ての放送事業者が共通に使用可能な領域である事業者共通領域と、各事業者が占有する領域である事業者専用領域が設けられている。ここで、任意のＭＭＣを利用できることを考慮すると、デジタル放送受信装置２中の不揮発性記憶部２７（ＮＶＲＡＭ）でデータの交換を行うためには事業者共通領域を用いる必要がある。
【００４２】
しかし、ＡＲＩＢ−ＴＲ  Ｂ１５に記載された事業者共通領域の使用規定では、事業者共通領域のほとんどは、視聴者の名前、住所などを記憶するために用いられている。また、ＭＭＣから利用できる領域は、事業者規定となっており、基本的には事業者間での情報の送受は個別規定を行わなければ不可能である。そこで、本実施の形態１では、ＮＶＲＡＭ中の事業者共通領域のデータ構造に新たな許諾情報領域を設けた。
【００４３】
図２は、本実施の形態１に係るＮＶＲＡＭ中の事業者共通領域のデータ構造を示す図である。図２は、ＡＲＩＢ−ＴＲ  Ｂ１５に記載された事業者共通領域の使用規定に対し、ブロック番号１６の情報を追加した構造になっており、他には変更はない。
【００４４】
図２のブロック１６は、許諾情報領域となり、目的とするＭＭＣが、放送事業者の意図したものであるかどうかの判断に用いることができる。
【００４５】
また、本実施の形態では、ブロック１６における情報の占める文字数を半角２５６文字としたが、実際の運用においては、この値は増減しても問題はない。同様に、本実施形態では、ブロック１６における文字種は、事業者指定あるいはＥＵＣ−ＪＰとしているが、これも実際の運用においては、これに限られるものではなく、例えば、文字種を非規定とすることで秘匿性を高めることや、逆に、英数字のみに限定することで受信装置処理の軽減を図るようにしても良い。
【００４６】
次に、本実施の形態１に係る放送送受信システムの動作について説明する。
図３は、図１の放送送受信システムの動作を示すフローチャートである。
【００４７】
図３では、図１の放送送受信システムの動作のうち、特に、通信ＭＭＣの取得およびその再生可否判断処理について示し、従来の放送送受信システムと同様な動作については省略あるいは簡略化している。
【００４８】
まず、予備作業として、通信ＭＭＣサーバ３の通信回線網５におけるアドレスを、通信回線網５を介してデジタル放送送信局１に予め通知しておく（ＰＳ１）。このアドレスは、デジタル放送送信局１内の合成出力許可情報／アドレス記憶部１５に格納される。なお、この予備作業は、通信回線網５を用いないで、例えば、郵送や手作業等により、通信ＭＭＣサーバ３のアドレスを合成出力許可情報／アドレス記憶部１５に入力させても良い。
【００４９】
デジタル放送送信局１では、ＡＶＣ生成部１２で生成するＡＶＣに対して、放送ＭＭＣ生成部１４で生成する放送ＭＭＣの合成出力を許可するための情報を通信回線網５経由で、通信ＭＭＣサーバ３に向けて送信する（Ｓ１）。なお、この場合、ＡＶＣに対する放送ＭＭＣの合成出力を許可するための情報は、そのままＡＶＣに対する通信ＭＭＣの合成出力を許可するための情報となる前提である。ＡＶＣに対する放送ＭＭＣの合成出力を許可するための情報と、ＡＶＣに対する通信ＭＭＣの合成出力を許可するための情報とで異なる要素が有る場合には、その要素を加えて送信する。
【００５０】
通信ＭＭＣサーバ３では、通信回線網５経由でデジタル放送送信局１から受信した合成出力許可情報を合成出力許可情報記憶部３４に格納し、格納終了をデジタル放送送信局１へ通知する（Ｓ２）。
【００５１】
デジタル放送送信局１では、放送ＭＭＣ生成部１４で、合成出力許可情報／アドレス記憶部１５から読み出した合成出力許可情報とアドレスを放送ＭＭＣに挿入し、多重化／送信部１３で、ＡＶＣと放送ＭＭＣを多重化した放送信号を送信アンテナ１７から送信する（Ｓ３）。
【００５２】
デジタル放送受信装置２では、受信アンテナ２０で放送信号を受信すると、その信号を受信／復調部２１で復調し、デコード部２２でＡＶＣと放送ＭＭＣが復号され、ＡＶＣはＡＶＣ再生部２３に送出され、放送ＭＭＣはＭＭＣ再生部２８に送出される。ＭＭＣ再生部２８では、受信した放送ＭＭＣの内容を解析して合成出力許可情報とアドレスを抽出し、不揮発性記憶部２７に格納する（Ｓ４）。
【００５３】
なお、合成出力許可情報は、放送事業者固有の許諾用情報であり、例えば、図２の事業者共通領域のブロック１６に記録される。
【００５４】
記録する場合には、当該放送事業者のひとつのサービス（放送チャネル）を指し示すサービスＩＤと当該サービス中を複数のグループに分類する目的や、あるいは詳細にコンテンツごとに制御を分割させる目的のために用いることのできるフォーマットＩＤが設けられている。
【００５５】
このサービスＩＤとフォーマットＩＤを用いて、例えば、ある放送事業者の既定の制御のための情報を記述するためにフォーマットＩＤ＝０を規定する他、各曜日毎のコンテンツに関する制御のために曜日のそれぞれにフォーマットＩＤを規定し制御を行う例、スポーツ、映画、ニュースなど、コンテンツ情報中のジャンル分類に合わせてフォーマットＩＤを指定しておき制御を行う例、広告スポンサー（のいくつか）にフォーマットＩＤを与え広告提示における制御の自由度を確保するなどの、細やかな制御を実現できる。
【００５６】
この合成出力許可情報は、例えば、デジタル放送受信装置２において受信された時に適切に処理されるように、通信ＭＭＣ中のＢＭＬ制御コマンドが用いられる。デジタル放送受信装置２では、通信ＭＭＣを受信した時に、その中の許諾用情報（ＢＭＬ制御コマンド）をデコード部２２にて処理し、通信ＭＭＣの情報としてＭＭＣ再生部２８に送り、再生を制御する。本実施の形態の場合には、合成する前の通信ＭＭＣを再生する段階ですることになるが、例えば、通信ＭＭＣの再生は実施しても、出力合成部２４で通信ＭＭＣを合成しないように構成しても良い。
【００５７】
次にデジタル放送受信装置２では、通信ＭＭＣが選択されたか否かを判断する（Ｓ５）。通信ＭＭＣが選択された場合（Ｓ５：ＹＥＳ）には、デジタル放送受信装置２は、通信ＭＭＣサーバ３に対して格納されたアドレスを利用して通信回線網５経由で選択された通信ＭＭＣを要求する。通信ＭＭＣが選択されない場合（Ｓ５：ＮＯ）には、元のＡＶＣおよび放送ＭＭＣの出力処理を継続する（Ｓ１１）。
【００５８】
通信ＭＭＣの要求を受信した通信ＭＭＣサーバ３では、合成出力許可情報を挿入した通信ＭＭＣを通信回線網５経由でデジタル放送受信装置２に送信する（Ｓ６）。
【００５９】
デジタル放送受信装置２では、ＭＭＣ再生部２８において受信した通信ＭＭＣから合成出力許可情報を抽出する（Ｓ７）。抽出方法としては、例えば、前述したタグ＜ＭＭｃｏｎｔｅｎｔｓＬｅｖｅｌｓ＞で判別される情報として通信ＭＭＣ中に許可情報が挿入された場合には、＜ＭＭｃｏｎｔｅｎｔｓＬｅｖｅｌｓ＞の抽出と、そのタグ中の許諾情報の取得という方法で可能である。
【００６０】
次いで、ＭＭＣ再生部２８は、例えば、不揮発記憶部２７の事業者共通領域のブロック１６から現在視聴中のＡＶＣを放送している放送事業者のサービスＩＤに相当する部分、更には現在視聴中のＡＶＣの内容情報に合致するフォーマットＩＤに相当する許諾情報を読み出す。さらに、ＭＭＣ再生部２８および受信制御部２９では、その抽出内容と不揮発性記憶部２７に格納された合成出力許可情報との間で必要に応じて何らかの演算が実施された後に合成出力が許可できるか否かが判断される（Ｓ８）。この判断は、例えば、単純に照合して等しいか否かでも良いし、放送日時との排他的論理和の結果を利用する判断でも良い。この運用の判断は、デジタル放送受信装置２の実装コストと安全面との関係により規定される。
【００６１】
ＭＭＣ再生部２８および受信制御部２９は、判断結果が合成出力を許可できるものである場合（Ｓ８：ＹＥＳ）には、通信ＭＭＣとＡＶＣあるいは放送ＭＭＣが同時に出力されることが許されることになるので、ＭＭＣ再生部２８で通信ＭＭＣを再生し、出力合成部２４でＡＶＣあるいは／および放送ＭＭＣと通信ＭＭＣを合成して表示装置６に出力する（Ｓ１２）。
【００６２】
逆に、判断結果が合成出力を許可できないものである場合（Ｓ８：ＮＯ）には、さらに、選択された通信ＭＭＣのみを再生して出力するか、あるいは、元のＡＶＣと放送ＭＭＣのみを出力するかを判断する（Ｓ９）。選択された通信ＭＭＣのみを出力する場合（Ｓ９：ＹＥＳ）には、元のＡＶＣと放送ＭＭＣを再生して合成する処理を中止し、選択された通信ＭＭＣのみを再生して表示装置６に出力する（Ｓ１０）。元のＡＶＣと放送ＭＭＣのみを出力する場合（Ｓ９：ＮＯ）には、元のＡＶＣおよび放送ＭＭＣを再生および合成して表示装置６に送出する出力処理を継続する（Ｓ１１）。
【００６３】
このこのステップＳ９の選択は、視聴者が受信装置を予め設定しておくか、あるいは、その時点で設定することにより選択することができる。
【００６４】
また、上述した実施の形態では、通信ＭＭＣがＸＨＴＭＬで記述された場合について説明したが、通信ＭＭＣはＢＭＬ（Ｂｒｏａｄｃａｓｔｉｎｇ  Ｍａｒｋｕｐ  Ｌａｎｇｕａｇｅ）を用いて記述することもできる。
【００６５】
その場合には、通信ＭＭＣ中に、ステップＳ８〜Ｓ１２までの動作をＢＭＬにて記述することができるので、前述したフォーマットＩＤなどを用いた自由なコンテンツ表現を行うことが容易になるという利点があるが、一方で、通信ＭＭＣから不揮発記憶部２７を直接制御できることになるので、セキュリティ面での安全性については低下する。
【００６６】
このように、本実施の形態１に係る放送送受信システムでは、予め放送ＭＭＣに合成出力許可情報を挿入して放送することでデジタル放送受信装置中の不揮発性記憶部２７（ＮＶＲＡＭ）に合成出力許可情報を伝送、保持しておき、その内容を通信ＭＭＣを合成出力（再生）するための許可の判断に用いるので、比較的簡易な構成で、スポンサーを含めて通信ＭＭＣとＡＶＣとの連携を取ることができ、受信装置側でＡＶＣと齟齬の無い通信ＭＭＣを取得することができる。
【００６７】
さらに、本実施の形態では、放送により必要以上に放送ＭＭＣを送出する必要が無く放送信号帯域を有効活用でき、インターネットに蓄積された大量のインフラ情報を用いることができるので、多様かつ高度な情報提供を行うことができる。
【００６８】
実施の形態２．
上記した実施の形態１では、合成出力の許可情報を予め通信ＭＭＣサーバ３に格納させた上で、デジタル放送送信局１から放送ＭＭＣにその許可情報を挿入して送出し、デジタル放送受信装置２側では、通信ＭＭＣサーバ３から得た通信ＭＭＣから抽出した許可情報を、放送ＭＭＣから抽出した許可情報で確認することで、スポンサーを含めて通信ＭＭＣとＡＶＣとの連携を取っていたが、全ての許可情報を放送により伝送するか通信回線網５で伝送しているため、放送の伝搬状況や通信回線網５の回線状況によっては、伝送中にノイズが混入する可能性が考えられる。
【００６９】
また、安全性を高めるためには、伝送されるデータ量を多くすることが考えられるが、例えば、放送ＭＭＣを送信する放送信号帯域の伝送量には限度があることから、許可情報のデータ量を多くすることは放送信号帯域を有効活用する点から好ましくない。また、データ量が多くなると伝送中にノイズが混入する可能性も増加するため、許可情報データ量を多くすることは伝送エラーを減少させる点からも好ましくない。従って、許可情報は限られたデータ量になるが、その場合、受信装置２では、通信ＭＭＣに対する同時出力許可の安全性および判断の自由度が限られることになる。
【００７０】
そこで、以下に説明する実施の形態２では、通信回線網５に接続された通信ＭＭＣ認証サーバを設けることで、信装置２における、通信ＭＭＣに対する同時出力許可の安全性および判断の自由度を向上させる場合について説明する。
【００７１】
図４は、本発明の実施の形態２に係るデジタル放送送受信システムの構成を示すブロック図である。
【００７２】
実施の形態１に係るデジタル放送送受信システムとの差異は、デジタル放送送信局１中に通信ＭＭＣ認証サーバ１９を持ち、通信ＭＭＣサーバ３内に通信ＭＭＣ認証要求情報記憶部３５を持つことであり、他の構成は実施の形態１と同様である。
【００７３】
通信ＭＭＣ認証サーバ１９は、放送ＭＭＣ生成部１４から、その時点で放送されているＡＶＣおよび放送ＭＭＣに関する多様な情報を格納すると共に、合成出力許可情報を挿入されて伝送される通信ＭＭＣに関する多様な情報も併せて格納する通信ＭＭＣ認証情報記憶部１８を有している。ここで、多様な情報とは、例えば、実施の形態１で通信ＭＭＣとＡＶＣとの関係を確認するための４条件を満足するための多様な要素である。
【００７４】
なお、図４では、通信ＭＭＣ認証サーバ１９を、放送ＭＭＣ生成部１４からの情報を得やすいようにデジタル放送送信局１内に通信制御部１６を共有させて記載しているが、通信制御部１６は、物理的な装置として同一である場合と、同一でない場合が考えられる。物理的に同一でない場合には、当然ながらポート番号やＩＰアドレスが異なるので問題ないが、物理的に同一である場合でも、論理的に別機能の実現手段として分離（例えば、ＩＰアドレスを違える実装や、ポート番号を違える実装などが容易に考えられる）されていれば、動作には影響はない。
【００７５】
また、例えば、デジタル放送送信局１内に全く別に独立させて通信ＭＭＣ認証サーバ１９を構成したり、デジタル放送送信局１の外部に通信回線網５と接続された独立サーバとして通信ＭＭＣ認証サーバ１９を構成しても良い。
【００７６】
通信ＭＭＣ認証要求情報記憶部３５は、例えば、通信ＭＭＣ認証サーバ１９の通信回線網５上での位置（アドレス）情報を格納する。
【００７７】
次に、図４の放送送受信システムの動作について説明する。
図５は、図４の放送送受信システムの動作を示すフローチャートである。
【００７８】
図５では、図４の放送送受信システムの動作のうち、特に、通信ＭＭＣの再生可否判断処理について示し、実施の形態１の放送送受信システムと略同様なステップ４以前の動作については省略しているが、例えば、ステップＳ２では許可情報中に通信ＭＭＣ認証サーバ１９のアドレスを含ませる点が異なる。また、再生可否判断処理の後半部分（ステップ８以降）については、実施の形態１と同様である。
【００７９】
ステップＳ５でＹＥＳの場合のデジタル放送受信装置２から、通信ＭＭＣの要求を受信した通信ＭＭＣサーバ３では、合成出力許可情報に加えて通信ＭＭＣの認証要求情報を挿入した通信ＭＭＣを通信回線網５経由でデジタル放送受信装置２に送信する（Ｓ２１）。
【００８０】
デジタル放送受信装置２では、ＭＭＣ再生部２８において受信した通信ＭＭＣから合成出力許可情報および通信ＭＭＣの認証要求情報を抽出する（Ｓ２２）。次に、デジタル放送受信装置２は、不揮発性記憶部２７に格納された通信ＭＭＣサーバ３のアドレス情報についての認証要求を、認証要求情報中の通信ＭＭＣ認証サーバ１９のアドレスに向けて送信する（Ｓ２３）。
【００８１】
通信ＭＭＣ認証サーバ１９では、通信ＭＭＣ認証情報記憶部１８の格納内容を基に通信ＭＭＣサーバ３のアドレスを認証し、認証結果をデジタル放送受信装置２に送信する。その際に、デジタル放送受信装置２で通信ＭＭＣの合成出力あるいは再生の可否を判断するために追加される関連情報がある場合には、その関連情報も送信する（Ｓ２４）。この場合の認証とは、例えば、そのアドレスで公開されている通信ＭＭＣが、現在放送中のデジタル放送コンテンツと同時に表示可能かどうかを判断することである。
【００８２】
デジタル放送受信装置２では、認証結果（および必要に応じて関連情報）を受信し、不揮発性記憶部２７に格納する（Ｓ２５）。その後のステップＳ８では、抽出内容を判断するための記憶内容として、認証結果（および必要に応じて関連情報）も追加される。ステップＳ８以降の処理は、実施の形態１と同様である。
【００８３】
また、例えば、通信ＭＭＣ認証サーバ１９の通信回線網５上での位置（アドレス）を、予めデジタル放送受信装置２内の不揮発記憶部２７中の事業者共通領域に保存されている認証関連情報のうちのひとつに記憶されているようにしても良い。この場合には、通信ＭＭＣサーバ３内の通信ＭＭＣ認証要求情報記憶部３５は必要なくなり、デジタル放送受信装置２は通信ＭＭＣサーバ３からの追加の情報（通信ＭＭＣ認証サーバ１９のアドレス情報）の提供なしに処理を実行できる。その場合、図５中のステップＳ２１とＳ２２が、図３の実施の形態１におけるステップＳ６とＳ７と同様になる。
【００８４】
また、不揮発記憶部２７へ通信ＭＭＣ認証サーバ１９のアドレス情報を記載することで、不揮発記憶部２７の内部情報は放送事業者のみが知り得る情報のため、外部からの盗用等に対する保護を強化することができる。
【００８５】
また、ステップＳ２３におけるデジタル放送受信装置２から通信ＭＭＣ認証サーバ１９に対する認証要求では、例えば、通信ＭＭＣを取得したアドレス、その通信ＭＭＣ中に埋め込まれた許諾関連情報、現在受信中のＡＶＣおよび放送ＭＭＣに関する情報（サービスＩＤ、イベントＩＤ他）、図示されない限定受信手段に含まれる視聴者個人または受信装置自身に関連する情報、などから少なくとも１個またはこれらの任意の組み合わせによって生成された情報を伝送することにより、さらに詳細かつ高機能な判断を行うことができる。不揮発記憶への情報記載は放送事業者のみの知り得る情報であるため、外部からの盗用などに対して保護が可能である
【００８６】
また、ここでの通信内容に秘匿性を持たせる必要がある場合には、ＳＳＬ（Ｓｅｃｕｒｅ  Ｓｏｃｋｅｔｓ  Ｌａｙｅｒｓ）を用いて通信経路を保護しても良い。また、合成出力の許諾判断においては、Ｗ３Ｃ（Ｗｏｒｌｄ  Ｗｉｄｅ  Ｗｅｂ  Ｃｏｎｓｏｒｔｉｕｍ）にて標準化された、ＳＯＡＰ（Ｓｉｍｐｌｅ  Ｏｂｊｅｃｔ  Ａｃｃｅｓｓ  Ｐｒｏｔｏｃｏｌ）にコマンド拡張を行い、例えば、＜ＧｅｔＭＭｃｏｎｔｅｎｔｓｐｅｒｍｉｔ＞  ＜ＵＲＬ＞  ＜ＧｅｔＭＭｃｏｎｔｅｎｔｓｐｅｒｍｉｔ／＞というコマンド文字列をＨＴＴＰ（Ｈｙｐｅｒ  Ｔｅｘｔ  Ｔｒａｎｓｐｏｒｔ  Ｐｒｏｔｏｃｏｌ）で伝送し、その回答として許諾判断情報を戻させるという形で実装することができる。
【００８７】
また、通信ＭＭＣの内容に関する正当性をさらに確保したい場合には、本発明の実施の形態１に記載した許可情報と同様に、通信ＭＭＣの内容として認証情報を付加し、その認証情報を不揮発記憶部２７中の事業者共通領域に予め保存された認証情報と比較し判断する方法を用いても良い。また、その事業者共通領域中に記憶された認証関連情報の一部、特に判別用にフォーマットＩＤを割り当てられ、アドレス以外の任意の情報として記憶されたものと、通信ＭＭＣ中の認証情報または任意の情報との間での演算結果を通信制御部２５経由で通信ＭＭＣ認証サーバ１９に送信し、そこで通信ＭＭＣの正当性を判断するようにしても良い。
【００８８】
このように認証情報を利用することで、通信ＭＭＣが改編されていた場合でも、通信ＭＭＣの改偏者には未知である事業者共通領域中の認証情報を用いた正当性を確認する判断により、デジタル放送受信装置２で改変事実を認識することができる。
【００８９】
ところで、デジタル放送受信装置２は、図示されない限定受信のための記憶手段を持つ場合がある。従来のデジタル放送受信装置では、この記憶手段はスマートカードにて実現されている。
【００９０】
スマートカードは、例えば、デジタル放送受信装置２を所有する視聴者が、任意のデジタル放送コンテンツを視聴する権利を保持するかどうか（例えば、有料コンテンツの場合に、既に視聴料金を支払済みかどうか等）の判断を行うことができる。スマートカードは、この視聴者毎のコンテンツ視聴権利を判断するために、視聴者個人別の識別情報が記憶されている。
【００９１】
本実施の形態のデジタル放送受信装置２では、例えば、この個人別識別情報と、不揮発記憶部２７中に記憶された事業者共通領域中の認証情報とを用いて実施された演算結果を、認証判断に用いるデータあるいはその一部として用いることで、視聴者（デジタル放送受信装置２）個別の通信ＭＭＣの視聴制御を、放送事業者（デジタル放送送信局１）から実施できる。
【００９２】
さらに、本実施の形態の認証判断手法を用いれば、デジタル放送コンテンツの放送事業者（デジタル放送送信局１）間にまたがる認証を行うことができる。
【００９３】
例えば、通信ＭＭＣが、ＢＭＬを用いて、任意の事業者１の事業者共通領域中の認証情報を取得して認証を得るように記載されており、かつ、デジタル放送受信装置２で他の事業者２のデジタル放送コンテンツを視聴している場合である。
【００９４】
この場合には、デジタル放送受信装置２の通信制御部２５は、例えば、まず上記した方法を用いて通信ＭＭＣの正当性を確認し、内容の正当性が確認された後に、受信中の放送コンテンツを放送する事業者２の管理する事業者領域に保存された事業者２の通信ＭＭＣ認証サーバ１９のアドレスを読み出し、事業者２の通信ＭＭＣ認証サーバ１９に通信ＭＭＣのアドレスを用いて認証を行う。
【００９５】
例えば、放送中のＡＶＣが複数の放送事業者の認可を得たもの（共同制作コンテンツなど）であって、同一の通信ＭＭＣが複数の放送事業者により認証されるべき場合などには、事業者２の通信ＭＭＣ認証サーバ１９でも該ＭＭＣの再生が許可されることになる。
【００９６】
このように、本実施の形態２に係る放送送受信システムでは、デジタル放送システム中に通信ＭＭＣ認証サーバ１９を持ち、さらに、通信ＭＭＣの通信回線網５上の位置（アドレス）、ＭＭＣ中に挿入された認証関連情報、および事業者共通領域中の認証関連情報などを組み合わせ、通信ＭＭＣの正当性を判断するために用いることができるので、比較的簡易な構成で、スポンサーを含めて通信ＭＭＣとＡＶＣとの連携をより確実に取ることができ、受信装置側でＡＶＣと齟齬の無い通信ＭＭＣを安全に取得することができる。
【００９７】
さらに、本実施の形態でも、放送により必要以上に放送ＭＭＣを送出する必要が無く放送信号帯域を有効活用でき、インターネットに蓄積された大量のインフラ情報を用いることができるので、多様かつ高度な情報提供を行うことができ、また、視聴者個別の視聴制御などの新しいサービスを提供することができる。
【００９８】
実施の形態３．
本発明の実施の形態２に係るデジタル放送送受信システムにおいては、デジタル放送受信装置２から直接にデジタル放送送信局１中の通信ＭＭＣ認証サーバ１９に認証を行っていたが、通信ＭＭＣ認証サーバ１９は、１つのデジタル放送送信局（放送事業者）によって直接に運営されているとは限らない。例えば、複数の放送事業者の通信ＭＭＣ認証サーバ１９の運営を１つの運営事業者が代行する場合や、通信ＭＭＣ認証サーバ１９の通信回線網５上のアドレス（位置：ＵＲＬ）がサーバの移転や変更などにより移動している場合等の直接に運営されない場合が考えられる。
【００９９】
このような場合には、例えば、デジタル放送受信装置２の不揮発性記憶部２７中の事業者共通領域に記憶された位置情報を頻繁に書き換えることにより、実施の形態２に記載した動作を実施することになる。しかし、現状のデジタル放送受信装置のように、この不揮発記憶がＮＶＲＡＭを用いて構成されている場合には、書き換えの頻度に制限が加わり実施する際の自由度が減少する。一般的には、ＮＶＲＡＭは数千回〜数万回で寿命となることが多い。
【０１００】
以下に示す実施の形態３では、通信ＭＭＣ認証サーバ１９が１つのデジタル放送送信局（放送事業者）によって直接に運営されていない場合でも、変更の可能性のある通信ＭＭＣ認証サーバ１９のアドレスをＮＶＲＡＭに直接記憶するのではなく、頻繁には書き換えられない通信ＭＭＣ認証サーバ１９のアドレス（位置）情報を提供する手段（サーバ）を介在させることで、自由度を高いままで通信ＭＭＣを認証できることについて説明する。
【０１０１】
図６は、本発明の実施の形態３に係るデジタル放送送受信システムの構成を示すブロック図である。
【０１０２】
本実施の形態のデジタル放送送受信システムが、図４に示した実施の形態２と異なる点は、本実施の形態では通信回線網５に接続された位置情報サーバ４を有している点である。
【０１０３】
位置情報サーバ４は、通信回線網５に接続されて各種情報やデータの送受信を制御する通信制御部４１と、通信ＭＭＣ認証サーバ１９の通信回線網５上のアドレス（位置）情報を格納する位置情報記憶部４２と、デジタル放送送信局１から受信した通信ＭＭＣ認証サーバ１９のアドレス（位置）情報を位置情報記憶部４２に格納し、通信ＭＭＣの認証要求を受信した場合には、そのアドレス情報を読み出してデジタル放送受信装置へ送出する位置情報サーバ制御部４３とを有する。
【０１０４】
なお、図６では、デジタル放送送信局１内の通信制御部１６を通信ＭＭＣ認証サーバ１９に含ませ、位置情報サーバ４はデジタル放送送信局１と別の構成として記載しているが、例えば、通信制御部１６と通信ＭＭＣ認証サーバ１９は物理的に別構成としても良く、逆に、例えば、ＩＰアドレスを違える、ポート番号を違える等により、論理的に別手段に分離されていれば物理的に同一の装置でも良い。
【０１０５】
次に、本実施の形態３に係る放送送受信システムの動作について説明する。
図７は、図６の放送送受信システムの動作を示すフローチャートである。
【０１０６】
図７では、図６の放送送受信システムの動作のうち、特に、通信ＭＭＣの再生可否判断処理について示し、実施の形態２の放送送受信システムと略同様なステップ８以降の動作については記載を省略している。
【０１０７】
まず、予備作業として、実施の形態１のステップＰＳ１の代わりに、通信ＭＭＣサーバ３の通信回線網５におけるアドレスに加えて位置情報サーバのアドレスを、通信回線網５を介してデジタル放送送信局１に予め通知しておく（ＰＳ２）。この各アドレスは、デジタル放送送信局１内の合成出力許可情報／アドレス記憶部１５に格納される。さらに、通信ＭＭＣサーバ３のアドレスと通信ＭＭＣ認証サーバ１９のアドレスを、通信回線網５を介して位置情報サーバ４に予め通知しておく（ＰＳ３）。通知を受けた位置情報サーバ４は、位置情報記憶部４２に受信した各アドレスを予め格納しておく（ＰＳ４）。
【０１０８】
ステップＳ１およびステップＳ２は、実施の形態１と同様なので説明を省略する。
【０１０９】
デジタル放送送信局１では、放送ＭＭＣ生成部１４で、合成出力許可情報／アドレス記憶部１５から読み出した合成出力許可情報とアドレスに加えて位置情報サーバのアドレスを放送ＭＭＣに挿入し、多重化／送信部１３で、ＡＶＣと放送ＭＭＣを多重化した放送信号を送信アンテナ１７から送信する（Ｓ３１）。
【０１１０】
デジタル放送受信装置２では、受信アンテナ２０で放送信号を受信すると、その信号を受信／復調部２１で復調し、デコード部２２でＡＶＣと放送ＭＭＣが復号され、ＡＶＣはＡＶＣ再生部２３に送出され、放送ＭＭＣはＭＭＣ再生部２８に送出される。ＭＭＣ再生部２８では、受信した放送ＭＭＣの内容を解析して合成出力許可情報とアドレスと位置情報サーバのアドレスを抽出し、不揮発性記憶部２７に格納する（Ｓ３２）。
【０１１１】
次のステップ５は実施の形態１と同様であり、その次のステップＳ２１およびＳ２２は実施の形態２と同様であるので、説明を省略する。
【０１１２】
デジタル放送受信装置２では、放送ＭＭＣから抽出された位置情報サーバのアドレスを不揮発性記憶部２７から読み出して、位置情報サーバ４に通信ＭＭＣサーバ１９のアドレスを要求する（Ｓ３３）。
【０１１３】
位置情報サーバ４は、要求された通信ＭＭＣサーバ１９のアドレスを位置情報記憶部４２から読み出して、デジタル放送受信装置２に送出する（Ｓ３４）。
【０１１４】
なお、デジタル放送受信装置２は、ステップＳ３３では、通信ＭＭＣを取得したアドレス、その通信ＭＭＣ中に埋め込まれた合成出力許可情報、現在受信中の放送ＭＭＣに関する情報（サービスＩＤ、イベントＩＤ他）、図示しない限定受信手段に含まれる視聴者個人または受信装置自身に関連する情報、等から少なくとも１個、または、これらの情報の任意の組み合わせによって生成された情報を、位置情報サーバ４に伝送し、ステップＳ２３では、その結果として適切な許諾判断作業を行うことの可能な放送事業者（デジタル放送送信局１）の通信ＭＭＣ認証サーバ１９のアドレスの通知を受けることができる。これによって最適な通信ＭＭＣ認証サーバ１９の位置情報を得ることができる。
【０１１５】
次のステップＳ２３〜Ｓ２５は、実施の形態２と同様であり、ステップ８以降は実施の形態１と同様であるので説明を省略する。
【０１１６】
また、不揮発記憶部２７へ合成出力許可情報とアドレスに加えて位置情報サーバのアドレス情報を記載することで、不揮発記憶部２７の内部情報は放送事業者のみが知り得る情報のため、外部からの盗用等に対する保護を強化することができる。例えば、通信ＭＭＣ認証サーバ１９のアドレスを位置情報サーバ４に要求する場合に、その要求メッセージ内にアドレス等を可読な状態に記述することなく、通信時に瞬間的に利用されるデータとしてのみ扱うことができるので安全度を高めることができる。
【０１１７】
上述したように本実施の形態の構成では、例えば、複数の放送事業者（デジタル放送送信局１）が任意の時点で通信ＭＭＣ認証サーバ１９を移動、統合、分離しても、それらは各通信ＭＭＣ認証サーバ１９と位置情報サーバ４との間のデータ更新を行うだけで無理なく運用ができるようになる。従って、当然ながら、通信ＭＭＣ認証サーバ１９などのアドレスが変更になった場合でも、位置情報サーバ４中に保存された各通信ＭＭＣ認証サーバ１９に対する情報を更新することで、デジタル放送受信装置２側には影響なく運用を継続することができる。
【０１１８】
このように、本実施の形態３に係る放送送受信システムでは、デジタル放送送受信システム中に位置解決サーバを持ち、デジタル放送受信装置２の不揮発性記憶部２７中の事業者共通領域に位置解決サーバのアドレスを記憶するので、インフラ変更などに容易に対応できる。
【０１１９】
また、本実施の形態でも、実施の形態２と同様に、デジタル放送システム中に通信ＭＭＣ認証サーバ１９を持つことから、通信ＭＭＣの通信回線網５上での位置（アドレス）、その通信ＭＭＣ中に埋め込まれた認証関連情報、および事業者共通領域中の認証関連情報などを組み合わせ、通信ＭＭＣの正当性を判断するために用いることができるので、比較的簡易な構成で、スポンサーを含めて通信ＭＭＣとＡＶＣとの連携をより確実に取ることができ、受信装置側でＡＶＣと齟齬の無い通信ＭＭＣを安全に取得することができる。
【０１２０】
さらに、本実施の形態でも、放送により必要以上に放送ＭＭＣを送出する必要が無く放送信号帯域を有効活用でき、インターネットに蓄積された大量のインフラ情報を用いることができるので、多様かつ高度な情報提供を行うことができ、また、視聴者個別の視聴制御などの新しいサービスを提供することができる。
【０１２１】
実施の形態４．
上記した実施の形態１〜３では、デジタル放送送信局１から受信した生放送のＡＶＣおよび放送ＭＭＣと、通信回線網５経由で通信ＭＭＣサーバ３から取得した通信ＭＭＣとの間で連携を取り、受信装置側で齟齬の無い通信ＭＭＣを安全に取得するようにできたが、例えば、生放送のＡＶＣおよび放送ＭＭＣを一旦ビデオレコーダ等の記録／再生手段に格納して、再生しながら通信ＭＭＣを取得しようとすると、放送ＭＭＣ中の合成出力許可情報等が、時間経過やデータ入れ替え、改訂、更新等により、通信ＭＭＣ中の合成出力許可情報と連携を取れなくなる場合がある。
【０１２２】
また、生放送のＡＶＣおよび放送ＭＭＣを視聴中に、蓄積されたＡＶＣ／放送ＭＭＣの再生が選択される場合も考えられ、その場合も両者の合成出力許可情報の連携が取れなくなる場合がある。
【０１２３】
そこで、以下に示す実施の形態４では、（ａ）生放送中のＡＶＣおよび放送ＭＭＣの合成出力許可情報と、記録／再生手段に一旦蓄積され再生中のＡＶＣおよび放送ＭＭＣの合成出力許可情報との連携を取る場合と、（ｂ）記録／再生手段に一旦蓄積され再生中のＡＶＣおよび放送ＭＭＣの合成出力許可情報と、その再生中の時点で得られた通信ＭＭＣ中の合成出力許可情報とのの連携を取る場合について説明する。
【０１２４】
なお、本実施の形態の全体のシステムとしては、実施の形態２を基本とし、実施の形態２と異なる部分を主に説明する。また、実施の形態３に示したような位置情報サーバ４を用いた構成とし、実施の形態３の利点を享受できるように構成しても良い
【０１２５】
図８は、本発明の実施の形態４に係るデジタル放送送受信システムの構成を示すブロック図である。
【０１２６】
本実施の形態のデジタル放送送受信システムが、図４に示した実施の形態２と異なる点は、本実施の形態ではデジタル放送受信装置２中に、デコード部２２から出力された再生前のＡＶＣおよび放送ＭＭＣを記録（格納）して任意の時間後に再生可能な記録／再生部２６を有している点である。
【０１２７】
記録／再生部２６は、受信制御部２９の制御下で、デコード部２２から出力された再生前のＡＶＣおよび放送ＭＭＣを記録（格納）し、任意の時間後にその再生前のＡＶＣおよび放送ＭＭＣを各々ＡＶＣ再生部２３あるいはＭＭＣ再生部２８に出力することができる。また、図８では示していないが、通信制御部２５から入力する再生前の通信ＭＭＣを記録および再生できるように構成しても良い。
【０１２８】
つまり、本実施の形態のデジタル放送受信装置２は、生放送されたＡＶＣおよび放送ＭＭＣをタイムシフトして生放送時間の終了後にそれらのコンテンツを視聴することができるだけでなく、例えば、あるデジタル放送用コンテンツの生放送終了後に、そのコンテンツに関連する通信ＭＭＣの情報、例えば、そのコンテンツの中の所望のコーナーや部分のみを記述する情報を用いて、生放送中の一部分のみの視聴を可能としたり、蓄積後に放送時点から長い時間（期間）が経過したデジタル放送用コンテンツに関してはその視聴料金を変更（低減）したりでき、従来はできなかった動作およびサービスを提供できるものである。
【０１２９】
このようなデジタル放送送受信システムにおいては、多様なデジタル放送用コンテンツ間の連携動作を可能とするため、各々のコンテンツ間での同時再生や合成出力等の協調動作に関して、各放送事業者がそれを許可するかどうかの判断が重要である。
【０１３０】
（ａ）まず、生放送のデジタル放送コンテンツと蓄積済みデジタル放送コンテンツとを連携させる動作について説明する。
【０１３１】
図９は、図８の放送送受信システムで、生放送と蓄積済みデジタル放送コンテンツとを連携させる動作を示すフローチャートである。
【０１３２】
図９では、図８の放送送受信システムの動作のうち、特に、生放送のコンテンツ受信中に蓄積されたコンテンツの再生と同時出力の可否判断処理について示している。
【０１３３】
まず、デジタル放送受信装置２では、生放送のデジタル放送コンテンツ（ＡＶＣおよび放送ＭＭＣ）を受信して表示装置６に出力中であるか否かが判断される（Ｓ４１）。生放送を出力中である場合（Ｓ４１：ＹＥＳ）には、受信した放送ＭＭＣから合成出力許可情報、通信ＭＭＣサーバのアドレス、システム中に位置情報サーバを有している場合にはその位置情報サーバのアドレスを抽出し、不揮発性記憶部２７に格納する（Ｓ４２）。なお、このステップＳ４２の処理は、実施の形態１の図３におけるステップＳ４あるいは実施の形態３のステップＳ３２と同様な処理である。
【０１３４】
次いで、デジタル放送受信装置２では、記録／再生部２６に蓄積された過去の放送のデジタル放送コンテンツ（ＡＶＣおよび放送ＭＭＣ）の再生出力が不図示の入力手段により選択されたか否かが判断される（Ｓ４３）。蓄積されたデジタル放送コンテンツの再生が選択された場合（Ｓ４３：ＹＥＳ）には、さらに、そのデジタル放送コンテンツが記録／再生部２６に蓄積されているか否かが判断される（Ｓ４４）。
【０１３５】
蓄積されたコンテンツの再生が選択されない場合（Ｓ４３：ＮＯ）には、元の生放送のデジタル放送コンテンツ（ＡＶＣおよび放送ＭＭＣ）の出力処理が継続される（Ｓ５１）。また、蓄積されたコンテンツの再生が選択された場合（Ｓ４３：ＹＥＳ）でも、次のステップＳ４４で、そのデジタル放送コンテンツが記録／再生部２６に蓄積されていない場合（Ｓ４４：ＮＯ）には、やはり、元の生放送のデジタル放送コンテンツ（ＡＶＣおよび放送ＭＭＣ）の出力処理が継続される（Ｓ５１）。
【０１３６】
選択されたデジタル放送コンテンツが記録／再生部２６に蓄積されている場合（Ｓ４４：ＹＥＳ）には、その蓄積内容から合成出力許可情報及び録画された日時情報等を読み出して、通信ＭＭＣ認証サーバ１９に送信する（Ｓ４５）。なお、この場合は、蓄積内容から選択された内容は通信ＭＭＣではないが、処理上は通信ＭＭＣと見なして処理を実施する。また、通信ＭＭＣ認証サーバ１９には、生放送されたデジタル放送コンテンツに関する通信ＭＭＣ認証情報を所定期間は保存しておくこととする。
【０１３７】
通信ＭＭＣ認証サーバ１９は、受信した合成出力許可情報及び録画された日時情報等から、現在生放送中のデジタル放送コンテンツとの間に齟齬がないかを確認して認証し、必要に応じて、デジタル放送受信装置２で通信ＭＭＣの合成出力を判断するために有用な情報を追加送信する（Ｓ４６）。
【０１３８】
デジタル放送受信装置２における、次のステップＳ４７は、実施の形態２のステップＳ２５と同様であり、認証結果および必要に応じて関連情報を受信して不揮発性記憶部２７に格納する。
【０１３９】
次いで、デジタル放送受信装置２では、不揮発記憶部２７の記憶内容から現在生放送中のデジタル放送コンテンツに関する許可情報と、通信ＭＭＣ認証サーバから受信した蓄積内容に関する認証結果および関連情報とから、必要に応じて何らかの演算が実施された後に合成出力が許可できるか否かが判断される（Ｓ４８）。
【０１４０】
ＭＭＣ再生部２８および受信制御部２９は、判断結果が合成出力を許可できるものである場合（Ｓ４８：ＹＥＳ）には、蓄積されていたデジタル放送コンテンツとＡＶＣあるいは放送ＭＭＣが同時に出力されることが許されることになるので、蓄積内容を再生し、出力合成部２４でＡＶＣあるいは／および放送ＭＭＣと蓄積内容を合成して表示装置６に出力する（Ｓ５２）。
【０１４１】
逆に、判断結果が合成出力を許可できないものである場合（Ｓ４８：ＮＯ）には、さらに、選択された蓄積内容のみを再生して出力するか、あるいは、元のＡＶＣと放送ＭＭＣのみを出力するかを判断する（Ｓ４９）。選択された蓄積内容のみを出力する場合（Ｓ４９：ＹＥＳ）には、元のＡＶＣと放送ＭＭＣを再生して合成する処理を中止し、選択された蓄積内容のみを再生して表示装置６に出力する（Ｓ５０）。元のＡＶＣと放送ＭＭＣのみを出力する場合（Ｓ９：ＮＯ）には、元のＡＶＣおよび放送ＭＭＣを再生および合成して表示装置６に送出する出力処理を継続する（Ｓ５１）。
【０１４２】
このように、本実施の形態では、現在生放送中の事業者に対して蓄積されたコンテンツの認証を行うためには、現在生放送中の事業者が事業者共通領域で指定しているアドレスにある通信ＭＭＣ認証サーバ１９に認証を求める必要があり、このときに蓄積済み放送コンテンツの放送日時、サービスＩＤ、イベントＩＤ、ＡＶＣかＭＭＣか、の情報を伝送し判断を仰ぐことになる。
【０１４３】
（ｂ）次に、蓄積済み放送コンテンツと通信ＭＭＣとに対する認証を行う場合について説明する。
【０１４４】
図１０は、図８の放送送受信システムで、蓄積済みデジタル放送コンテンツと通信ＭＭＣとを連携させる動作を示すフローチャートである。
【０１４５】
図１０も、図８の放送送受信システムの動作のうち、特に、生放送のコンテンツ受信中に蓄積されたコンテンツの再生と同時出力の可否判断処理について示している。
【０１４６】
まず、デジタル放送受信装置２では、蓄積されたデジタル放送コンテンツ（ＡＶＣおよび放送ＭＭＣ）を再生して表示装置６に出力中であるか否かが判断される（Ｓ６１）。蓄積された内容を再生出力中である場合（Ｓ６１：ＹＥＳ）には、再生した放送ＭＭＣから合成出力許可情報、通信ＭＭＣサーバのアドレス、システム中に位置情報サーバを有している場合にはその位置情報サーバのアドレスを抽出し、不揮発性記憶部２７に格納する（Ｓ６２）。
【０１４７】
次いで、デジタル放送受信装置２では、通信ＭＭＣが不図示の入力手段により選択されたか否かが判断される（Ｓ６３）。通信ＭＭＣが選択された場合（Ｓ６３：ＹＥＳ）には、通信ＭＭＣサーバ３に対してその通信ＭＭＣを送出するように要求する。
【０１４８】
通信ＭＭＣが選択されない場合（Ｓ６３：ＮＯ）には、元の蓄積されたデジタル放送コンテンツ（ＡＶＣおよび放送ＭＭＣ）の出力処理が継続される（Ｓ７２）。
【０１４９】
デジタル放送受信装置２では、通信ＭＭＣサーバ３から受信した通信ＭＭＣから合成出力許可情報と通信ＭＭＣ認証サーバのアドレスを抽出して不揮発性記憶部２７に格納する（Ｓ６５）。次いで、蓄積されたデジタル放送コンテンツに関する合成出力許可情報および日時情報等を不揮発性記憶部２７から読み出して通信ＭＭＣ認証サーバ１９に送信する（Ｓ６６）。
【０１５０】
なお、この場合も、通信ＭＭＣ認証サーバ１９には、生放送されたデジタル放送コンテンツに関する通信ＭＭＣ認証情報を所定期間は保存しておくこととする。
【０１５１】
通信ＭＭＣ認証サーバ１９は、受信した合成出力許可情報及び録画された日時情報等から、通信ＭＭＣとの間に齟齬がないかを確認して認証し、必要に応じて、デジタル放送受信装置２で通信ＭＭＣの合成出力を判断するために有用な情報を追加送信する（Ｓ６７）。
【０１５２】
デジタル放送受信装置２における、次のステップＳ６８は、実施の形態２のステップＳ２５と同様であり、認証結果および必要に応じて関連情報を受信して不揮発性記憶部２７に格納する。
【０１５３】
次いで、デジタル放送受信装置２では、不揮発記憶部２７の記憶内容から蓄積内容が再生されたデジタル放送コンテンツに関する許可情報と、通信ＭＭＣ認証サーバから受信した蓄積内容に関する認証結果および関連情報とから、必要に応じて何らかの演算が実施された後に合成出力が許可できるか否かが判断される（Ｓ６９）。
【０１５４】
ＭＭＣ再生部２８および受信制御部２９は、判断結果が合成出力を許可できるものである場合（Ｓ６９：ＹＥＳ）には、蓄積されていたデジタル放送コンテンツと通信ＭＭＣが同時に出力されることが許されることになるので、通信ＭＭＣを再生し、出力合成部２４でＡＶＣあるいは／および放送ＭＭＣと通信ＭＭＣを合成して表示装置６に出力する（Ｓ７３）。
【０１５５】
逆に、判断結果が合成出力を許可できないものである場合（Ｓ６９：ＮＯ）には、さらに、選択された通信ＭＭＣのみを再生して出力するか、あるいは、元の蓄積されて再生されたＡＶＣと放送ＭＭＣのみを出力するかを判断する（Ｓ７０）。選択された通信ＭＭＣのみを出力する場合（Ｓ７０：ＹＥＳ）には、元の蓄積されていたＡＶＣと放送ＭＭＣを再生して合成する処理を中止し、受信した通信ＭＭＣのみを再生して表示装置６に出力する（Ｓ７１）。元の蓄積されていたＡＶＣと放送ＭＭＣのみを再生して出力する場合（Ｓ７０：ＮＯ）には、元の蓄積されていたＡＶＣおよび放送ＭＭＣを再生および合成して表示装置６に送出する出力処理を継続する（Ｓ７２）。
【０１５６】
このように、蓄積済み放送コンテンツと通信ＭＭＣとに対する認証を行うためには、蓄積済み放送コンテンツの放送事業者が事業者共通領域で指定しているアドレスにある通信ＭＭＣ認証サーバ１９に対して、例えば、実施の形態２あるいは３に説明したように、蓄積済み放送コンテンツの放送日時、サービスＩＤ、イベントＩＤの情報を伝送し、このコンテンツに対する通信ＭＭＣの合成出力（再生）を認証する。
【０１５７】
なお、上記した実施の形態では、蓄積済みのデジタル放送コンテンツは放送信号として受信されたものであったが、例えば、通信経路経由で伝送されたデジタル放送コンテンツについても、上記した本発明は適用可能である。
【０１５８】
この場合には、デジタル放送受信装置２において、コンテンツを実際に記録／再生部２６に蓄積するときに、その関連情報として放送事業者独自の許諾関連情報を保存しておく。
【０１５９】
その許諾関連情報は、例えば、デジタル放送送信局１から通信ＭＭＣサーバ３内の通信ＭＭＣ再生部３３に伝送され、通信回線網５経由でコンテンツ関連情報として伝送される。
【０１６０】
このコンテンツ関連情報とは、例えば、メタデータとしてＸＭＬ（ｅＸｔｅｎｄｅｄＭａｒｋｕｐ  Ｌａｎｇｕａｇｅ）で記述することができる。さらに具体的な一例としては、ＸＭＬのタグ＜ＣｏｍＭＭｃｏｎｔｅｎｔｓ＞タグに属性として、事業者ＩＤ（放送におけるサービスＩＤと等価とする）とコンテンツＩＤを付与する。そして、通信ＭＭＣ認証サーバ１９では、これらのＩＤをキーワードとして認証を判断することができる。
【０１６１】
これにより、放送されるＡＶＣに付随して伝送されるＢＭＬ制御コマンドを用いて、蓄積済みのデジタルＴＶコンテンツを制御し、ライブコンテンツと蓄積コンテンツを自由に切り替えたり同時に再生したりできるので、新たな高機能サービスを放送事業者の意図どおり、かつ、安全に実現することができる。
【０１６２】
このように、本実施の形態４に係る放送送受信システムでは、デジタル放送送受信システム中のデジタル放送受信装置中にデジタルコンテンツの記録／再生部を備える場合でも、通信ＭＭＣ認証サーバを備えるとともに、事業者共通領域に通信ＭＭＣ認証サーバのアドレスを記憶し、蓄積済みの放送コンテンツの放送時点での諸情報、通信ＭＭＣの通信回線網上での位置（アドレス）、そのＭＭＣ中に埋め込まれた認証関連情報、および、事業者共通領域中の認証関連情報などを組み合わせるので、生放送のデジタル放送コンテンツと蓄積されたコンテンツとの合成出力の可能性の判断、あるいは、蓄積されたコンテンツとその通信ＭＭＣの合成出力の可能性の判断を正確に行うことができる。
【０１６３】
また、本実施の形態でも、実施の形態２と同様に、デジタル放送システム中に通信ＭＭＣ認証サーバ１９を持つことから、通信ＭＭＣの通信回線網５上での位置（アドレス）、その通信ＭＭＣ中に埋め込まれた認証関連情報、および事業者共通領域中の認証関連情報などを組み合わせ、通信ＭＭＣの正当性を判断するために用いることができるので、比較的簡易な構成で、スポンサーを含めて通信ＭＭＣとＡＶＣとの連携をより確実に取ることができ、受信装置側でＡＶＣと齟齬の無い通信ＭＭＣを安全に取得することができる。
【０１６４】
さらに、本実施の形態でも、放送により必要以上に放送ＭＭＣを送出する必要が無く放送信号帯域を有効活用でき、蓄積手段を用いることで過去の放送コンテンツを含めた中から通信ＭＭＣを取得することが可能となり、インターネットに蓄積された大量のインフラ情報を用いることができるので、多様かつ高度な情報提供を行うことができ、また、視聴者個別の視聴制御などの新しいサービスを提供することができる。
【０１６５】
なお、上記した各実施の形態では、デジタル放送受信装置２内の不揮発性記憶部２７としてＮＶＲＡＭを用いる場合を説明したが、本発明はこれに限るものではなく、他の不揮発性記憶素子を使用することができ、あるいは、電源ＯＦＦ時に記憶内容がバックアップされた任意の記憶手段を用いても良い。
【０１６６】
また、上記した各実施の形態では、放送方式として無線方式を用いて説明したが、本発明は有線方式の放送にも適用することができ、また、通信回線網としては、インターネット以外の他の通信手段を用いても良い。
【０１６７】
【発明の効果】
上記のように本発明によれば、予め放送ＭＭＣに合成出力許可情報を挿入して放送することでデジタル放送受信装置中の不揮発性記憶部に合成出力許可情報を伝送、保持しておき、その内容を通信ＭＭＣを合成出力するための許可の判断に用いるので、比較的簡易な構成で、スポンサーを含めて通信ＭＭＣとＡＶＣとの連携を取ることができ、受信装置側でＡＶＣと齟齬の無い通信ＭＭＣを取得することができ、また、放送により必要以上に放送ＭＭＣを送出する必要が無く放送信号帯域を有効活用でき、インターネットに蓄積された大量のインフラ情報を用いることができるので、多様かつ高度な情報提供を行うことができる。
【図面の簡単な説明】
【図１】本発明の実施の形態１に係るデジタル放送送受信システムの構成を示すブロック図である。
【図２】本実施の形態１に係るＮＶＲＡＭ中の事業者共通領域のデータ構造を示す図である。
【図３】図１の放送送受信システムの動作を示すフローチャートである。
【図４】本発明の実施の形態２に係るデジタル放送送受信システムの構成を示すブロック図である。
【図５】図４の放送送受信システムの動作を示すフローチャートである。
【図６】本発明の実施の形態３に係るデジタル放送送受信システムの構成を示すブロック図である。
【図７】図６の放送送受信システムの動作を示すフローチャートである。
【図８】本発明の実施の形態４に係るデジタル放送送受信システムの構成を示すブロック図である。
【図９】図８の放送送受信システムで、生放送と蓄積済みデジタル放送コンテンツとを連携させる動作を示すフローチャートである。
【図１０】図８の放送送受信システムで、蓄積済みデジタル放送コンテンツと通信ＭＭＣとを連携させる動作を示すフローチャートである。
【符号の説明】
１  デジタル放送送信局、  ２  デジタル放送受信装置、  ３  通信ＭＭＣサーバ、  ４  位置情報サーバ、  ５  通信回線網（インターネット）、  ６  表示装置、  １１  放送制御部、  １２  ＡＶＣ生成部、  １３  多重化／送信部、  １４  放送ＭＭＣ生成部、  １５  合成出力許可情報／アドレス記憶部、  １６  通信制御部、  １７  送信アンテナ、  １８  通信ＭＭＣ認証情報記憶部、  １９  通信ＭＭＣ認証サーバ、  ２０  受信アンテナ、  ２１  受信／復調部、  ２２  デコード部、  ２３  ＡＶＣ再生部、  ２４  出力合成部、  ２５通信制御部、  ２６  記録／再生部、  ２７  不揮発性記憶部、  ２８  ＭＭＣ再生部、  ２９  受信制御部、  ３１  通信制御部、  ３２  情報挿入部、  ３３  通信ＭＭＣ生成部、  ３４  合成出力許可情報記憶部、  ３５  通信ＭＭＣ認証要求情報記憶部、  ３６  コンテンツサーバ制御部、  ４１  通信制御部、  ４２  位置情報記憶部、  ４３  位置情報サーバ制御部。
【図１】
2004153752.tif 000003
【図２】
2004153752.tif 000004
【図３】
2004153752.tif 000005
【図４】
2004153752.tif 000006
【図５】
2004153752.tif 000007
【図６】
2004153752.tif 000008
【図７】
2004153752.tif 000009
【図８】
2004153752.tif 000010
【図９】
2004153752.tif 000011
【図１０】
2004153752.tif 000012